【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた情報処理装置にあって、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得るステップと、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力するステップと、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力するステップと、
からなることを特徴とする情報処理装置における方法。
【請求項２】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた情報処理装置にあって、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得るステップと、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力するステップと、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力するステップと、
からなることを特徴とする情報処理装置における方法。
【請求項３】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた情報処理装置にあって、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成するステップと、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力するステップと、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求めるステップと、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力するステップと、
からなることを特徴とする情報処理装置における方法。
【請求項４】
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備えた情報処理装置にあって、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力する請求項１に記載の方法。
【請求項５】
第１の項目が対応付けられたデータ記入域に対する第１の指定である演算指示語辞書の登録文字列の指定と、第２の指定である相対変更指示語辞書の登録文字列、または、全体演算指示語辞書の登録文字列、または、第２の項目に属するデータ文字列の指定とをおこなう方法であって、
第１の指定に関わる辞書の登録用語と、第２の指定に関わる辞書の登録用語、または、第２の項目に属するデータ文字列の両文字列を、辞書の種別間、または、第１の指定に関わる辞書と第２の項目に属するデータ文字列の間で定められた構文則にしたがって組み合わせた文字列を、上記データ記入域に対して対応付ける指定を受け、
上記の指定を受けた組合せ文字列の文字列データに対して、第１の指定に関わる辞書の登録用語、ならびに、第２の指定に関わる辞書の登録用語、または、各文字列データと各セルデータと各項目定義データの参照によって識別される第２の項目に対応付けられたデータ文字列の両者のコード列情報を上記構文則が定める方法にしたがってサーチすることによって、第１の指定と第２の指定の内容を定める請求項２、３、４に記載の方法。
【請求項６】
差異条件の内容を定める文字列範囲に対して、それが上記辞書手段、または、上記構文規則により解釈されることを示す特定記号、または、特定図形属性を付すことを特徴とする請求項１、２、３、４、５に記載の方法。
【請求項７】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法をおこなう情報処理装置であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた上、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成する手段と、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成する手段と、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得る手段と、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力する手段と、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力する手段と、
からなることを特徴とする情報処理装置。
【請求項８】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へデータ出力をおこなう情報処理装置であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた上、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成する手段と、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成する手段と、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得る手段と、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力する手段と、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力する手段と、
からなることを特徴とする情報処理装置。
【請求項９】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力をおこなう情報処理装置であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた上、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成する手段と、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力する手段と、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求める手段と、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力する手段と、
からなることを特徴とする情報処理装置。
【請求項１０】
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備え
、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力する請求項７に記載の装置。
【請求項１１】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた情報処理装置にあって、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得るステップと、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力するステップと、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力するステップと、
からなることを特徴とする情報処理装置におけるデータ出力方法をコンピュータによって実現させるための制御プログラム、または、同制御プログラムを格納した記憶媒体。
【請求項１２】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた情報処理装置にあって、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得るステップと、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力するステップと、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力するステップと、
からなることを特徴とする情報処理装置におけるデータ出力方法をコンピュータによって実現させるための制御プログラム、または、同制御プログラムを格納した記憶媒体。
【請求項１３】
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた情報処理装置にあって、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成するステップと、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力するステップと、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求めるステップと、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力するステップと、
からなることを特徴とする情報処理装置におけるデータ出力方法をコンピュータによって実現させるための制御プログラム、または、同制御プログラムを格納した記憶媒体。
【請求項１４】
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備えた情報処理装置にあって、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力する請求項１１に記載の方法を、コンピュータによって実現させるための制御プログラム、または、同制御プログラムを格納した記憶媒体。
【手続補正２】
【補正対象書類名】明細書
【補正対象項目名】００１４
【補正方法】変更
【補正の内容】
【００１４】
上記の目的を達成するために、本発明のうち、請求項１に記載の情報処理装置におけるデータ出力方法は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた情報処理装置にあって、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得るステップと、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力するステップと、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力するステップと、
からなることを特徴とする。
【手続補正３】
【補正対象書類名】明細書
【補正対象項目名】００１５
【補正方法】変更
【補正の内容】
【００１５】
また、請求項２に記載の情報処理装置におけるデータ出力方法は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた情報処理装置にあって、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得るステップと、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力するステップと、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力するステップと、
からなることを特徴とする。
【手続補正４】
【補正対象書類名】明細書
【補正対象項目名】００１６
【補正方法】変更
【補正の内容】
【００１６】
また、請求項３に記載の情報処理装置におけるデータ出力方法は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた情報処理装置にあって、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成するステップと、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力するステップと、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求めるステップと、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力するステップと、
からなることを特徴とする。
【手続補正５】
【補正対象書類名】明細書
【補正対象項目名】００１７
【補正方法】変更
【補正の内容】
【００１７】
また、請求項４記載の方法は、譜求項１に記載の表フォーマットデータ処理方法であって、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備えた情報処理装置にあって、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力することを特徴とする。
また、請求項５に記載の方法は、請求項２、３、４に記載の表フォーマットデータ処理方法であって、
第１の項目が対応付けられたデータ記入域に対する第１の指定である演算指示語辞書の登録文字列の指定と、第２の指定である相対変更指示語辞書の登録文字列、または、全体演算指示語辞書の登録文字列、または、第２の項目に属するデータ文字列の指定とをおこなう方法であって、
第１の指定に関わる辞書の登録用語と、第２の指定に関わる辞書の登録用語、または、第２の項目に属するデータ文字列の両文字列を、辞書の種別間、または、第１の指定に関わる辞書と第２の項目に属するデータ文字列の間で定められた構文則にしたがって組み合わせた文字列を、上記データ記入域に対して対応付ける指定を受け、
上記の指定を受けた組合せ文字列の文字列データに対して、第１の指定に関わる辞書の登録用語、ならびに、第２の指定に関わる辞書の登録用語、または、各文字列データと各セルデータと各項目定義データの参照によって識別される第２の項目に対応付けられたデータ文字列の両者のコード列情報を上記構文則が定める方法にしたがってサーチすることによって、第１の指定と第２の指定の内容を定めることを特徴とする。
また、請求項６に記載の方法は、請求項１、２、３、４に記載の表フォーマットデータ処理方法であって、
差異条件の内容を定める文字列範囲に対して、それが上記辞書手段、または、上記構文規則により解釈されることを示す特定記号、または、特定図形属性を付すことを特徴とする。
【手続補正６】
【補正対象書類名】明細書
【補正対象項目名】００１８
【補正方法】変更
【補正の内容】
【００１８】
請求項７に記載の情報処理装置は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法をおこなう情報処理装置であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた上、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成する手段と、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成する手段と、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得る手段と、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力する手段と、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力する手段と、
からなることを特徴とする。
【手続補正７】
【補正対象書類名】明細書
【補正対象項目名】００１９
【補正方法】変更
【補正の内容】
【００１９】
請求項８に記載の情報処理装置は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へデータ出力をおこなう情報処理装置であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた上、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成する手段と、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成する手段と、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得る手段と、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力する手段と、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力する手段と、
からなることを特徴とする。
【手続補正８】
【補正対象書類名】明細書
【補正対象項目名】００２０
【補正方法】変更
【補正の内容】
【００２０】
請求項９に記載の情報処理装置は、  
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力をおこなう情報処理装置であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた上、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成する手段と、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力する手段と、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求める手段と、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力する手段と、
からなることを特徴とする。
【手続補正９】
【補正対象書類名】明細書
【補正対象項目名】００２１
【補正方法】変更
【補正の内容】
【００２１】
請求項１０に記載の情報処理装置は、請求項７に記載の装置であって、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備え
、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力することを特徴とする。
【手続補正１０】
【補正対象書類名】明細書
【補正対象項目名】００２２
【補正方法】変更
【補正の内容】
【００２２】
請求項１１に記載の情報処理装置におけるデータ出力方法をコンピュータによって実現させるための制御プログラム、または、同制御プログラムを格納した記憶媒体は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータに対して特定の変化を与えることを示す用語を相対変更指示語として、変化を与える方法ごとに設けた代表語、または代表コード、ならびに、該当する項目名と対応付けて登録した相対変更指示語辞書と、
を備えた情報処理装置にあって、    
（１）表上の各データ記入域に対して項目名文字列を対応付ける指定と、第１の項目が対応付けられたデータ記入域に対して、上記相対変更指示語辞書に登録されている文字列を対応付ける指定とを受け、
各罫線データ、および上記特定種別の記入情報の該当データ、および、上記指定を受けた項目名文字列の文字列データの間の位置情報の照合と、
上記指定を受けた相対変更指示語文字列の文字列データと上記辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域が各項目について１つに定まる単位記入域の対である単位記入域対に関わる情報として、両単位記入域を対応付ける情報と両単位記入域の位置情報に関わる組合せセルデータと、
各セルデータと各組合せセルデータに対して項目名を対応付ける項目定義データと、
単位記入域対に属する２つの単位記入域間のデータ記入条件に関する差異を示す情報として、上記指定を受けた相対変更指示語の代表語、または代表コードとその所属項目名とを、各々、変更方法情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域に関わる組合せセルデータとの間の位置情報の照合によって識別した上、上記識別した組合せを構成する各単位記入域に記入されているデータの該当文字列データを該当セルデータと各文字列データ間の照合によって取り出し、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの所属項目名情報として登録された項目に対応するデータに対して、差異条件定義データの変更方法情報に定められた方法に従った変更を加えることによって第２の出力レコードを得るステップと、
（４）第１の出力レコードの構成データと指定した出力元データファイルから取り出した各レコードの構成データとを各項目ごとに照合することによって、定めた照合条件に合う出力元レコードを選択した上、選択した出力元レコード内の第１の項目のデータを、
該当の単位記入域対の中の特定の方法によって定めた第１の単位記入域上に出力するステップと、
（５）第２の出力レコードの構成データと該当の出力元データファイルから取り出した各レコードの構成データとを各項目ごとに照合することによって、定めた照合条件に合う出力元レコードを選択した上、選択した出力元レコード内の第１の項目のデータを、
該当の単位記入域対の第２の単位記入域上に出力するステップと、
からなる情報処理装置におけるデータ出力方法をコンピュータによって実現させることを特徴とする。
【手続補正１１】
【補正対象書類名】明細書
【補正対象項目名】００２３
【補正方法】変更
【補正の内容】
【００２３】
請求項１２に記載の情報処理装置におけるデータ出力方法をコンピュータによって実現させるための制御プログラム、または、同制御プログラムを格納した記憶媒体は、
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと罫線について種別と位置情報を持つ罫線データ
を含む表データの格納手段と、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段とを備えた情報処理装置にあって、
（１）表上の各データ記入域に対して項目名文字列を対応付ける指定と、第１の項目が対応付けられたデータ記入域に対して、上記辞書に演算指示語として登録されている文字列と第２の項目に属するデータ文字列とを対応付ける指定とを受け、
各罫線データ、および上記特定種別の記入情報の該当データ、および、上記指定を受けた項目名文字列の文字列データの間の位置情報の照合と、
上記指定を受けた演算指示語文字列の文字列データと上記辞書登録用語の間のコード列情報の照合をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、同時に識別されたにデータ文字列、ならびに、その所属項目である第２の項目を、各々、演算方法情報、置換データ情報、所属項目名情報として登録した差異条件定義データとを、
作成するステップと、
（２）第１の項目が対応付けられた１つの上記単位記入域対に対して、同一列上、または、同一列上に位置する、第１の項目以外の項目が対応付けられた単位記入域のセルデータの組合せを、項目定義データの参照によって項目名と対応付けた各セルデータと該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、表上においてデータ記入域が定義されている全ての項目に属するデータ、またはデータ記入フィールドの組合わせである第１の出力レコードを作成するステップと、
（３）第１の出力レコードを構成するデータの中、差異条件定義データの上記所属項目名情報として登録された項目に対応するデータを、差異条件定義データ中に置換データ情報として登録されたデータ文字列によって置き換えることによって第２の出力レコードを得るステップと、
（４）第１の出力レコードの構成データと指定した出力元データファイルから取り出した各レコードの構成データとを各項目ごとに照合することによって、定めた照合条件に合う第１の出力元レコードを選択した上、選択した第１の出力元レコード内の第１の項目のデータを、該当の単位記入域対の中、特定の方法によって定めた第１の単位記入域上に出力するステップと、
（５）第２の出力レコードの構成データと出力元データファイルから取り出した各レコードの構成データとを各項目ごとに照合することによって、定めた照合条件に合う第２の出力元レコードを選択した上、
先に第１の出力レコードについて選択した第１の出力元レコード内の第１の項目のデータと、第２の出力レコードについて選択した第２の出力元レコード内の第１の項目のデータとの間で、差異条件定義データに登録されている演算方法情報に定められた方法に従った演算をおこない、
演算結果のデータを該当の単位記入域対の第２の単位記入域上に出力するステップと、
からなることを特徴とする情報処理装置におけるデータ出力方法をコンピュータによって実現させることを特徴とする。
【手続補正１２】
【補正対象書類名】明細書
【補正対象項目名】００２４
【補正方法】変更
【補正の内容】
【００２４】
請求項１３に記載の情報処理装置におけるデータ出力方法をコンピュータによって実現させるための制御プログラム、または、同制御プログラムを格納した記憶媒体は、  
構成する行と列が罫線によって区切られる表であって、第１の項目以外の項目に属するデータについては、１つのデータが記入される単位記入域が罫線によって囲まれる矩形域であるセルごとに設けられ、上記第１の項目に属するデータについては、２つの単位記入域が１つのセル内に特定種別の記入情報で区切られる形で設けられる形態をとる表上へのデータ出力方法であって、
表を構成する各記入情報を表わす記入情報データとして、文字列についてコード列情報と位置情報を持つ文字列データと、罫線について種別と位置情報を持つ罫線データを含む表データの格納手段と、
１つの項目に属するデータと同じ項目に属する基準データとの間で、第１の演算を与えて生成されたデータであることを示す用語を演算指示語として、演算の方法ごとに設けた代表語、または代表コードと対応付けて登録した演算指示語辞書手段と、
１つの項目に属する表上の記入データ全体に対して第２の演算を施したデータを示す用語を全体演算指示語として、演算の方法ごとに設けた代表語、または代表コードと対応付けて登録した全体演算指示語辞書と、
を備えた情報処理装置にあって、
（１）表上の各データ記入域に対して項目名文字列を対応付ける指定と、第１の項目が対応付けられたデータ記入域に対して、上記演算指示語指示語辞書に登録されている文字列と上記全体演算指示語辞書に登録されている文字列を対応付ける指定とを受け、
各罫線データ、および上記特定種別の記入情報の該当データ、および  上記指定を受けた項目名文字列の文字列データの間の位置情報の照合と、
上記指定を受けた演算指示語文字列、または、全体演算指示語文字列の文字列データと該当する辞書登録用語の間のコード列情報の照合と、
をおこなうことによって、
第１の項目以外の項目に対応付けられた単位記入域に関わる情報としてその位置情報を持つセルデータと、
第１の項目が対応付けられ、上記特定種別の記入情報によって分けられた２つの単位記入域の対であって、対の各単位記入域と同一の行、または列上にある他の項目の単位記入域は、各項目について１つに定まる単位記入域の組合せである単位記入域対に関わる情報として、両単位記入域を対応付ける情報と両単位記入域の位置情報に関わる組合せセルデータと、
各セルデータと組合せセルデータに対して項目名を対応付ける項目定義データと、
単位記入域対に属する両単位記入域間のデータ記入条件に関する差異を示す情報として、上記指定を受けた演算指示語の代表語、または、代表コード、ならびに、全体演算指示語の代表語、または、代表コードを、各々、演算方法情報、全体演算情報報として登録した差異条件定義データとを、
作成するステップと、
（２）第１の項目が対応付けられた１つの上記単位記入域に対して、同一列上、または、同一列上に位置する、第１の項目以外の項目が対応付けられた単位記入域のセルデータの組合せを、項目定義データの参照によって項目名と対応付けた各セルデータと
該当の単位記入域対に関わる組合せセルデータとの間の位置情報の照合によって識別した上、
上記識別した組合せを構成する各単位記入域に記入されているデータの該当文字列データを該当セルデータと各文字列データ間の照合によって取り出すことによって、
表上においてデータ記入域が定義されている全ての項目に属するデータ、またはデータ記入フィールドの組合わせである第１の出力レコードを作成するステップと、
（３）第１の出力レコードの構成データと指定した出力元データファイルから取り出した各レコードの構成データとを各項目ごとに照合することによって、定めた照合条件に合う出力元レコードを選択した上、選択した出力元域対の中の特定の方法によって定めた第１の単位記入域上に出力するステップと、
（４）項目定義データと組合せセル定義データの参照によって、表上の第１の項目に属する全ての単位記入域対を順に識別した上、その中の第１の単位記入域に出力したデータに対して、差異条件定義データの全体演算指示情報に定められた方法に従った演算をおこない、演算結果のデータを求めるステップと、
（５）該当の単位記入域対内の第１の単位記入域に出力したデータと上記全体演算指示情報による演算結果のデータとの間で、差異条件定義データの演算指示情報について定められた方法に従った演算をおこない、演算結果のデータを該当の単位記入域対内の第２の単位記入域に出力するステップと、
からなることを特徴とする情報処理装置におけるデータ出力方法をコンピュータによって実現させることを特徴とする。
【手続補正１３】
【補正対象書類名】明細書
【補正対象項目名】００２５
【補正方法】変更
【補正の内容】
【００２５】
請求項１４に記載の情報処理装置におけるデータ出力方法をコンピュータによって実現させるための制御プログラム、または、同制御プログラムを格納した記憶媒体は、請求項１１に記載の制御プログラム、または、同制御プログラムを格納した記憶媒体であって、
１つの項目に属するデータと同じ項目に属する基準データとの間で、特定の演算を与えて生成されたデータであることを示す用語を演算指示語として、演算の方法ごとに設けた代表語、または代表コードと対応付けて登録した演算指示語辞書手段を併せて備えた情報処理装置にあって、
第１の項目が対応付けられたとデータ記入域に対して、上記相対変更指示語と共に演算指示語を対応付ける指定を受けることによって、上記指定を受けた演算指示語の代表語、または代表コードを、差異条件定義データに演算方法情報として追加登録した上、
１つの単位記入域対について求めた第１の出力レコードに該当する出力元レコード内の第１の項目のデータと、同じ単位記入域対について求めた第２の出力レコードに該当する出力元レコード内の第１の項目のデータとの間で、差異条件定義データの演算方法情報に定められた方法に従った演算をおこない、演算結果のデータを該当の単位記入域対内の第２の単位記入域上に出力する情報処理装置における方法を、コンピュータによって実現させるためことを特徴とする。